Podtech/llm-jp-corpus-v4-ja_patent huggingface dataset:
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
気道での患者の呼吸効率を高めるための肺容量減少装置（９００）であって、
前記装置が近位端（９１２）及び遠位端（９１４）を含み、かつ第１の構成及び第２の構成を有し、
前記第１の構成が送達構成に対応し、
前記第２の構成が植込み前又は植込み後の構成に対応し、
植込み可能な装置が、前記装置と接触している肺組織をより湾曲させるために、肺組織に圧縮力を与えるように植込み後の構成において形が変わるように構成される、肺容量減少装置であり、
前記装置が、近位螺旋区域（９０２）、遠位螺旋区域（９０４）、及び前記近位螺旋区域（９０２）と前記遠位螺旋区域（９０４）との間に配置される遷移区域（９０６）を備え、
前記近位螺旋区域（９０２）及び前記遠位螺旋区域（９０４）が右巻き螺旋区域及び左巻き螺旋区域を備え、
前記遠位螺旋区域（９０４）が、前記植込み可能な装置が前記第２の構成にあるときに前記近位螺旋区域（９０２）よりも多くのループを備えることを特徴とする、肺容量減少装置。
【請求項２】
前記植込み可能な装置が、前記植込み可能な装置の一部を覆うジャケット（９１６）をさらに備え、前記ジャケット（９１６）が、前記装置が留置された後に前記気道への装置の侵食を低減するように構成される、請求項１に記載の肺容量減少装置。
【請求項３】
前記ジャケット（９１６）が、前記近位螺旋区域（９０２）、前記遠位螺旋区域（９０４）、及び前記遷移区域（９０６）を覆う、請求項２に記載の肺容量減少装置。
【請求項４】
前記ジャケット（９１６）が前記装置の遠位端（９１４）を覆う、請求項２に記載の肺容量減少装置。
【請求項５】
前記ジャケット（９１６）が、少なくとも５５Ｄの硬度を有するポリカーボネートウレタン材料を備える、請求項２〜４の何れかに記載の肺容量減少装置。
【請求項６】
前記近位端（９１２）及び前記遠位端（９１４）が無外傷性である、請求項１に記載の肺容量減少装置。
【請求項７】
前記近位螺旋区域（９０２）及び前記遠位螺旋区域（９０４）がそれぞれ第１の軸（９０７）及び第２の軸（９０８）を有し、前記装置が前記第２の構成にあるときに前記第１の軸（９０７）及び前記第２の軸（９０８）が異なる、請求項１に記載の肺容量減少装置。
【請求項８】
前記第１の軸（９０７）及び前記第２の軸（９０８）が、前記装置が前記第２の構成にあるときに１９０°と２３０°との間に及ぶ角度をなす、請求項７に記載の肺容量減少装置。
【請求項９】
前記装置が形状記憶材料を備える、請求項１に記載の肺容量減少装置。
【請求項１０】
前記装置がニッケル及びチタンを含む金属を備える、請求項１に記載の肺容量減少装置。
【請求項１１】
前記近位螺旋区域（９０２）が、前記装置が前記第２の構成にあるときに１つよりも少ないループを備える、請求項１に記載の肺容量減少装置。
【請求項１２】
前記遠位螺旋区域（９０４）が、前記装置が前記第２の構成にあるときに少なくとも１つのループを備える、請求項１に記載の肺容量減少装置。
【請求項１３】
前記遠位螺旋区域（９０４）が、前記植込み可能な装置が前記第２の構成にあるときに少なくとも４つのループを備える、請求項１２に記載の肺容量減少装置。
【請求項１４】
前記装置の近位端（１０１２）及び遠位端（１０１４）が無外傷性ボールを備える、請求項１に記載の肺容量減少装置。
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
少なくとも２つの異なる、別々の高分子フィルムを製造する方法であって、該方法は、
ニップの中へ少なくとも２つの高分子層を押出成形し、高分子多層フィルムを提供する工程であって、該ニップは、該高分子多層フィルムの第１の主平面を介してくぼみを付与する構造化された表面を有する第１のロールを含む、工程と、
該高分子多層フィルムの概ね反対の第２の主表面に熱源を付与しながら、該くぼみを有する該第１の主平面を冷却ロール上を通過させる工程であって、該熱源から熱を付与することにより、該高分子多層フィルムの該第１の主表面と該第２の主表面との間に延在する開口部の配列が形成される、工程と、
該開口部の配列を有する該高分子多層フィルムの少なくとも該第１及び該第２の層を分離し、少なくとも２つの異なる、別々の高分子フィルムを提供する工程と、を含む、方法。
【請求項２】
前記第１の層は、１２５マイクロメートル以下の厚さを有する、請求項１に記載の方法。
【請求項３】
前記第２の層は、１２５マイクロメートル以下の厚さを有する、請求項１又は２のいずれか一項に記載の方法。
【請求項４】
前記高分子多層フィルムが少なくとも３０開口部／ｃｍ２を有する、請求項１〜３のいずれか一項に記載の方法。
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
不織布ウェブと、
該不織布ウェブの繊維に形成セラミック研磨粒子を接着するバインダーであって、該形成セラミック研磨粒子は、形成セラミック研磨粒子径を有し、該繊維は、繊維直径を有する、バインダーと、を含み、
前記繊維直径に対する前記形成セラミック研磨粒子径の比は、０．４〜３．５である、不織布研磨物品。
【請求項２】
前記繊維は、ステープルファイバーを含む、請求項１に記載の不織布研磨物品。
【請求項３】
前記繊維は、連続的である、請求項１に記載の不織布研磨物品。
【請求項４】
前記繊維は、隣接する繊維が互いに接触するところで相互に係合し、自己結合している、波状繊維を含む、請求項３に記載の研磨物品。
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
医療器具の部位用の洗浄デバイスであって、前記洗浄デバイスは、
ハウジングと、
前記ハウジングの内面上の接続機構と、
前記ハウジング内の洗浄剤と、
前記ハウジング内の可動隔壁であって、可撓性フランジを含む可動隔壁と、
前記ハウジングと一体化され、前記ハウジングの開口部に対向する前記ハウジングの遠位内面から上方に向かって、前記可動隔壁の開口部を通過して延びる雄ルアーと、
を含む、洗浄デバイス。
【請求項２】
前記可撓性フランジは、前記可動隔壁の外側縁部に沿って配置され、前記可動隔壁と前記ハウジングとの間に締まりばめを生じるように構成される、請求項１に記載の洗浄デバイス。
【請求項３】
前記可動隔壁が前記医療器具により前記ハウジング内に押し込まれた際に、１つ以上の孔部を介した前記洗浄剤の前記ハウジングから前記医療器具の前記部位への通過を可能にする前記可動隔壁に配置された１つ以上の孔部をさらに含む、請求項１又は２に記載の洗浄デバイス。
【請求項４】
前記１つ以上の孔部は、前記洗浄剤の表面張力を、前記洗浄剤が低圧状態にある際に前記可動隔壁の下方に留まるようにする１つ以上の寸法を有する、請求項３に記載の洗浄デバイス。
【請求項５】
前記可動隔壁の上面に沿って配置され、前記医療器具の表面と前記可動隔壁の前記上面との間に空間を確保する１つ以上の隆起構造をさらに含む、請求項１〜４のいずれか一項に記載の洗浄デバイス。
【請求項６】
前記ハウジングの開口部に対向する前記ハウジングの遠位内面から上方に向かって延びる１つ以上の突起をさらに含み、前記１つ以上の突起は、前記可動隔壁が前記ハウジング内に押し込まれた際に、前記可動隔壁を停止させるように構成される、請求項１〜５のいずれか一項に記載の洗浄デバイス。
【請求項７】
前記可動隔壁は、前記可動隔壁の前記開口部の内側縁部に沿って配置された可撓性フランジを含む、請求項１〜６のいずれか一項に記載の洗浄デバイス。
【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
腹臥位における患者を支持するための台と、
前記患者の胸部を撮像するために、前記台の下方に配置されているトモシンセシス撮像システムと、
前記トモシンセシス撮像システムによって撮像される前記患者の胸部から組織サンプルを得るための生検針を位置付けるステージアームアセンブリと
を備えている、装置。
【請求項２】
前記トモシンセシス撮像システムおよびステージアームアセンブリは、共通回転軸の周りを独立して回転可能である、請求項１に記載の装置。
【請求項３】
前記トモシンセシス撮像システムおよびステージアームアセンブリは、共通回転軸に直交する少なくとも１つの次元において、線形に位置変更可能である、請求項１−２のいずれかに記載の装置。
【請求項４】
前記トモシンセシス撮像システムおよびステージアームアセンブリは、前記共通回転軸において線形に位置変更可能である、請求項３に記載の装置。
【請求項５】
前記台は、開口を含み、前記開口を通して、前記トモシンセシス撮像システムによって撮像される前記胸部が延びる、請求項４に記載の装置。
【請求項６】
前記共通回転軸は、前記トモシンセシス撮像システムによって撮像される前記胸部の中心と整列させられる、請求項５に記載の装置。
【請求項７】
前記トモシンセシス撮像システムは、少なくとも１８０度にわたり、前記共通軸の周りを回転可能である、請求項２に記載の装置。
【請求項８】
前記ステージアームアセンブリは、少なくとも１８０度にわたり、前記共通軸の周りを独立して回転可能である、請求項７に記載の装置。
【請求項９】
前記台は、前記共通軸の周りに１８０度オフセットされた少なくとも２つの位置で前記患者を支持する、請求項８に記載の装置。
【請求項１０】
前記撮像システムは、走査または掃引の間、弧状に移動するレセプターを含む、請求項１に記載の装置。
【手続補正２】
【補正対象書類名】明細書
【補正対象項目名】００１０
【補正方法】変更
【補正の内容】
【００１０】
そうではないことが具体的に述べられない限り、本明細書に説明される特徴は、任意の組み合わせにおいて使用されることができ、側面は、実施形態のうちの任意の１つ以上を含むことができる。さらに、他の特徴および利点が、図および発明を実施するための形態に照らして、当業者に明白となるであろう。
本願明細書は、例えば、以下の項目も提供する。
（項目１）
腹臥位における患者を支持するための台と、
前記患者の胸部を撮像するために、台の下方に配置されているトモシンセシス撮像システムと、
前記トモシンセシス撮像システムによって撮像される前記患者の胸部から組織サンプルを得るための生検針を位置付けるステージアームアセンブリと
を備えている、装置。
（項目２）
前記トモシンセシス撮像システムおよびステージアームアセンブリは、共通回転軸の周りを独立して回転可能である、項目１に記載の装置。
（項目３）
前記トモシンセシス撮像システムおよびステージアームアセンブリは、前記共通回転軸に直交する少なくとも１つの次元において、線形に位置変更可能である、項目１−２のいずれかに記載の装置。
（項目４）
前記トモシンセシス撮像システムおよびステージアームアセンブリは、前記共通回転軸において線形に位置変更可能である、項目３に記載の装置。
（項目５）
台は、開口を含み、前記開口を通して、前記トモシンセシス撮像システムによって撮像される胸部が延びる、項目４に記載の装置。
（項目６）
前記共通回転軸は、前記トモシンセシス撮像システムによって撮像される胸部の中心と整列させられる、項目５に記載の装置。
（項目７）
前記トモシンセシス撮像システムは、少なくとも１８０度にわたり、前記共通軸の周りを回転可能である、項目２に記載の装置。
（項目８）
前記ステージアームアセンブリは、少なくとも１８０度にわたり、前記共通軸の周りを独立して回転可能である、項目７に記載の装置。
（項目９）
前記台は、前記共通軸の周りに１８０度オフセットされた少なくとも２つの位置で前記患者を支持する、項目８に記載の装置。
（項目１０）
前記撮像システムは、走査または掃引の間、弧状に移動するレセプターを含む、項目１に記載の装置。
（項目１１）
台上に患者を腹臥位に位置付けることと、
前記台の下方に配置されているトモシンセシス撮像システムを用いて、前記患者の胸部を撮像することと、
前記トモシンセシス撮像システムからの情報を使用してステージアームアセンブリを構成することによって、生検針を位置付けることと、
前記トモシンセシス撮像システムによって撮像される前記患者の胸部から組織サンプルを得ることと
を含む、方法。
（項目１２）
前記トモシンセシス撮像システムおよびステージアームアセンブリは、共通軸の周りを独立して回転可能であり、前記方法は、前記共通軸を前記患者の胸部と整列させることを含む、項目１１に記載の方法。
（項目１３）
前記撮像システムを撮像のための所定の位置に回転させることを含む、項目１２に記載の方法。
（項目１４）
前記患者の胸部を圧迫下に置くことを含む、項目１３に記載の方法。
（項目１５）
撮像情報から着目特徴を識別することを含む、項目１４に記載の方法。
（項目１６）
前記ステージアームアセンブリを前記組織サンプルを得るための所定の位置に回転させることを含む、項目１５に記載の方法。
（項目１７）
少なくとも１８０度にわたり、前記共通軸の周りに前記トモシンセシス撮像システムを回転させることを含む、項目１２に記載の方法。
（項目１８）
少なくとも１８０度にわたり、前記共通軸の周りに前記ステージアームアセンブリを回転させることを含む、項目１７に記載の方法。
（項目１９）
前記台上の前記共通軸の周りに１８０度オフセットされた少なくとも２つの位置に前記患者を位置付けることを含む、項目８に記載の方法。
（項目２０）
走査または掃引の間、前記撮像システムのレセプターを弧状に移動させることを含む、項目１１に記載の方法。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
患者の処置のために流体を熱処理するための液体冷却システムであって、
サーマルプレートを備える冷却デバイスと、
該冷却デバイスに取り外し可能に結合されたカートリッジ又は弾性体であって、伝熱性表面と、該カートリッジ又は弾性体を通って延在する流体通路とを有し、該流体通路の少なくとも一部分が、該伝熱性表面に隣接して配置される、前記カートリッジ又は弾性体と、
該カートリッジ又は弾性体を該冷却デバイスに取り外し可能に結合するように配置される少なくとも1つの付勢メカニズムであって、該伝熱性表面が該冷却デバイスの該サーマルプレートに対して付勢され、該流体からの熱を伝導するようにする、前記少なくとも1つの付勢メカニズムと、
を備える前記システム。
【請求項２】
前記少なくとも1つの付勢メカニズムが、前記カートリッジ又は弾性体を前記冷却デバイスに係合させるための第1の位置と、該カートリッジ又は弾性体を該冷却デバイスから切り離すための第2の位置との間で動作可能なカムシステムを備える、請求項1記載のシステム。
【請求項３】
前記カムシステムが、カムレバーと、少なくとも1つのカムローブを有するカムシャフトとを備える、請求項2記載のシステム。
【請求項４】
前記カムシステムの前記第1の位置が、前記カートリッジ又は弾性体の前記伝熱性表面が前記サーマルプレートに対し付勢されて熱伝導を生じさせるようなロック構成であり、前記第2の位置が、該カートリッジ又は弾性体を前記冷却デバイスから取り外すことができるようなロック解除構成である、請求項2記載のシステム。
【請求項５】
前記少なくとも1つの付勢メカニズムが、前記カートリッジ又は弾性体を前記冷却デバイスに係合するための第1の位置と、該カートリッジ又は弾性体を該冷却デバイスから切り離すための第2の位置との間で動作可能なカムシステムを備え、前記第1の位置が、前記サーマルプレートに対し該カートリッジ又は弾性体を所与の力で付勢する前記カムシステムを備える、請求項1記載のシステム。
【請求項６】
前記システムを通って循環する流体量を調整するように構成されるポンプを更に備え、該ポンプが前記カートリッジ又は弾性体に隣接して位置決めされ、該カートリッジ又は弾性体内の前記流体が負の流体圧力を有するようにする、請求項1記載のシステム。
【請求項７】
前記ポンプが、毎分70ミリリットル〜160ミリリットルの流速で前記流体を循環させるように構成される、請求項6記載のシステム。
【請求項８】
前記ポンプが、25psi〜150psiの圧力で前記流体を送達するように構成される、請求項6記載のシステム。
【請求項９】
前記カートリッジ又は弾性体の前記流体通路及び前記患者内に位置決めされた処置デバイスと流体連通した供給ラインを更に備える、請求項1記載のシステム。
【請求項１０】
前記流体通路に流体連通した供給ラインを更に備え、前記供給ラインの少なくとも一部が前記患者の内部に位置決めされ、該患者の気管支の内部に位置決めされた処置デバイスと流体連通する、請求項1記載のシステム。
【請求項１１】
気管支鏡及び処置デバイスを有する肺処置システムを更に備え、該処置デバイスが、前記患者の肺組織に隣接して位置決めされ、前記カートリッジ又は弾性体が、該処置デバイスと流体連通して、処置中に、冷やされた流体を該患者に供給する、請求項1記載のシステム。
【請求項１２】
前記少なくとも1つの付勢メカニズムが2対の磁石を備え、各対が前記カートリッジ又は弾性体の対向する端部に位置決めされ、各対が、該カートリッジ又は弾性体と前記冷却デバイスとの間の面間接触を改善して熱交換効率を増大させるように該冷却デバイスに吸引可能である、請求項1記載のシステム。
【請求項１３】
前記少なくとも1つの付勢メカニズムが、前記冷却デバイスに吸引可能な複数の磁石で構成され、前記カートリッジ又は弾性体に所与の付勢力を加えて、前記流体からの熱伝導を生じさせるようにする、請求項1記載のシステム。
【請求項１４】
前記流体通路が、該流体通路の第1の側壁と第2の側壁との間の遷移部に近接した少なくとも1つの角部を備え、前記少なくとも1つの角部が、前記システムの動作中、該少なくとも1つの角部に近接して気泡がトラップされないように構成される、請求項1記載のシステム。
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
心室を分割するためのインプラントであって、
中央のハブと、前記中央のハブから伸びる複数の支柱と、を有する、展開可能なフレームと、
前記展開可能なフレームの前記複数の支柱に取り付けられた膜と、
を備え、
前記展開可能なフレームが装填されていない且つ前記膜が前記展開可能なフレームに取り付けられていない状態において、前記展開可能なフレームは制限されていない直径を持ち、前記制限されていない直径は、前記展開可能なフレームが予め装填され且つ前記膜が前記展開可能なフレームに取り付けられた状態における直径よりも大きく、
前記複数の支柱の各々は、アンカー内で終端し、且つ前記アンカーに近接した停止部を有し、
前記停止部は、前記膜を所定位置に固定し、前記支柱の心室壁への過度の侵入を低減する又は防ぐように構成される突起又は前記支柱の拡張部である、
インプラント。
【請求項２】
前記停止部と前記アンカーは、隣接する停止部とアンカーに対し交互に配列されている、請求項１に記載のインプラント。
【請求項３】
前記複数の支柱は交互の長さを持つ、請求項２に記載のインプラント。
【請求項４】
各支柱は幅と厚みを含む断面を持ち、
前記幅は前記厚みより大きい、請求項１に記載のインプラント。
【請求項５】
前記複数の支柱は、バイアスをかけられて、ねじれることなく、真っ直ぐに外側へ曲がる、請求項４に記載のインプラント。
【請求項６】
前記複数の支柱は、前記中央のハブに近接した広がった根部を含む、請求項１に記載のインプラント。
【請求項７】
各支柱が前記アンカーの近くで曲げられて、前記アンカーと心室壁との係合の角度を最適化する、請求項１に記載のインプラント。
【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
第１チャンバと第２チャンバとの間に配置される流体チャネルを備えるハウジングであって、前記第１チャンバは前記第２チャンバから構造的に独立しており、前記第１チャンバが湿潤コンポーネントを保管するように構成されている、ハウジングと、
前記第１チャンバと第２チャンバとの間に配置される移動体と、
前記移動体に機械的に連結されている作動装置であって、前記作動装置は、前記第１チャンバ及び第２チャンバのそれぞれの有効な容積部を選択的に増減させるように前記移動体の一部を機械的に移動させるように構成され、前記作動装置はまた、前記第１チャンバと第２チャンバとの間に流体チャネルを通る流体連通をもたらし、前記作動装置は、前記流体チャネルを通って前記第１チャンバから前記第２チャンバへと前記湿潤コンポーネントの一部を押し込むように構成されている作動装置と、を備え、
前記第１チャンバおよび前記第２チャンバは分離した異なる側壁を有する、
薬剤混合システム。
【請求項２】
前記第２チャンバが第２湿潤コンポーネントを保管するように構成されている、請求項１に記載の薬剤混合システム。
【請求項３】
前記流体チャネルが前記移動体内に配置される、請求項１に記載の薬剤混合システム。
【請求項４】
前記流体チャネルと接触する乾燥薬剤を更に備え、
前記作動装置によって生じた前記流体連通が、前記第１の構造的に独立したチャンバ内に最初に含まれる湿潤コンポーネント及び乾燥薬剤コンポーネントを混合させる、請求項１に記載の薬剤混合システム。
【請求項５】
前記第２チャンバと流体連通する針アセンブリを更に備える、請求項１に記載の薬剤混合システム。
【請求項６】
第２作動装置が、混合された湿潤及び乾燥薬剤コンポーネントに前記第２チャンバから針アセンブリを通過させる、請求項４に記載の薬剤混合システム。
【請求項７】
前記第１及び第２湿潤コンポーネントが混合して、乾燥薬剤の溶解を促進する、請求項１に記載の薬剤混合システム。
【請求項８】
第１チャンバ及び第２チャンバを備えるハウジングであって、前記第１チャンバおよび第２チャンバは互いから構造的に独立しており、前記第１チャンバが湿潤コンポーネントを保管するように構成されている、ハウジングと、
前記第１チャンバと第２チャンバとの間に配置される移動体であって、前記移動体は更に、
前記第１チャンバと第２チャンバとの間の流体連通を可能にするように構成される流体チャネルであって、当初は乾燥薬剤が前記流体チャネルと直接接触している、流体チャネルと、
前記移動体の一部により前記第１チャンバの有効な容積部を減少させるように構成されている第１作動装置であって、前記第１チャンバと第２チャンバとの間に流体チャネルを通る流体連通をもたらし、したがって、前記流体チャネルを通って前記第１チャンバから前記第２チャンバへと前記湿潤コンポーネントの一部を押し込むように構成されている第１作動装置と、
を備える移動体と、
少なくとも部分的に前記ハウジング内に配置される送達アセンブリと、
第２作動装置であって、起動時に前記移動体を前記第２チャンバの一部に入らせ、前記第２チャンバと前記送達アセンブリとの間に流体連通をもたらし、混合された湿潤コンポーネント及び乾燥薬剤に前記送達アセンブリを通過させる第２作動装置と、
を備える、薬剤混合及び送達システム。
【請求項９】
安全装置が準備完了位置にあるとき、前記第２作動装置を作動できるように構成されている前記安全装置を更に備える、請求項８に記載の薬剤混合及び送達システム。
【請求項１０】
前記第１作動装置が予荷重バネからなる、請求項８に記載の薬剤混合及び送達システム。
【請求項１１】
前記流体チャネルが前記流体チャネルの側壁の一部に形成される複数の溝を更に備える、請求項１に記載の薬剤混合システム。
【請求項１２】
第１チャンバ及び第２チャンバを備えるハウジングであって、前記第１チャンバが湿潤コンポーネントを保管するように構成されている、ハウジングと、
前記第１チャンバと第２チャンバとの間に配置される移動体であって、２つの対向する方向に移動するように構成されている移動体と、
前記移動体に機械的に連結されている作動装置であって、前記移動体の一部を前記第１チャンバの一部に入らせるように当初は機械的に移動し、それによって前記第１チャンバと第２チャンバとの間に流体連通をもたらし、したがって、前記湿潤コンポーネントの一部を前記第１チャンバから前記第２チャンバへと押し込むように構成されている作動装置と、を備え、
前記第１チャンバおよび前記第２チャンバは分離した異なる側壁を有する、
薬剤混合システム。
【請求項１３】
第１チャンバ及び第２チャンバを備えるハウジングであって、前記第１チャンバが湿潤コンポーネントを保管するように構成されている、ハウジングと、
前記第１チャンバと第２チャンバとの間に配置される移動体であって、前記移動体は２つの対向する方向に移動するように構成され、前記第１チャンバ及び第２のチャンバのそれぞれの側壁を半径方向に超えて延びる円周部を備える移動体と、
前記移動体の一部を前記第１チャンバの一部に入らせるように当初は機械的に移動し、それによって前記第１チャンバと第２チャンバとの間に流体連通をもたらし、したがって、前記湿潤コンポーネントの一部を前記第１チャンバから前記第２チャンバへと押し込むように構成されている作動装置と、
前記第２チャンバから下流に配置される針アセンブリであって、前記作動装置の第２作動が、前記移動体を対向方向に移動させ、前記第２チャンバ内に配置される流体を前記針アセンブリに押し込む、針アセンブリと、を備え、
前記第１チャンバおよび前記第２チャンバは分離した異なる側壁を有する、
薬剤混合及び注入システム。
【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
研磨面と、研磨物を貫通して形成された開口とを有する研磨物であって、前記開口が、前記研磨面に隣接する第１の区域、および前記第１の区域に隣接する第２の区域を含み、前記研磨物が、前記第１の区域が前記第２の区域と異なる横寸法を有するように前記開口の中に内向きに延びる突起を含み、前記突起が、前記研磨面と実質的に平行な第１の面を有し、前記研磨物が、前記研磨面から遠い第１の面の側に下方部分を含む、研磨物と、
前記開口の前記第１の区域に配置された第１の部分、および前記開口の前記第２の区域の中に延びる第２の部分を有する窓であって、前記研磨面と実質的に平行な第２の面を有する窓と、
前記突起の前記第１の面を前記窓の前記第２の面に接着して前記窓を前記突起に固定する第１の接着剤と、
前記第１の接着剤とは異なる材料組成の第２の接着剤であって、前記窓の前記第２の部分と前記研磨物の前記下方部分との間に横方向に配置される第２の接着剤と
を備える、化学機械研磨装置用の研磨パッド。
【請求項２】
前記開口の前記第１の区域が前記開口の前記第２の区域よりも広く、前記突起が前記開口の前記第２の区域に横方向で隣接している、請求項１に記載の研磨パッド。
【請求項３】
前記第１の面が前記突起の上面であり、前記第２の面が前記窓の下面である、請求項２に記載の研磨パッド。
【請求項４】
前記開口の前記第１の区域が、前記開口の前記第２の区域よりも狭く、前記突起が前記開口の前記第１の区域に横方向で隣接している、請求項１に記載の研磨パッド。
【請求項５】
前記第１の面が前記突起の下面であり、前記第２の面が前記窓の上面である、請求項４に記載の研磨パッド。
【請求項６】
前記研磨物が、研磨面を有する研磨層と、前記下方部分になるバッキング層とを備える、請求項１に記載の研磨パッド。
【請求項７】
前記バッキング層が、前記研磨層よりも柔らかい、請求項６に記載の研磨パッド。
【請求項８】
前記第２の接着剤が、前記第１の接着剤よりも大きい粘着力を前記窓に対し有する、請求項１に記載の研磨パッド。
【請求項９】
前記第１の接着剤が感圧性接着剤を含む、請求項１に記載の研磨パッド。
【請求項１０】
前記第１の接着剤が両面接着テープを含む、請求項９に記載の研磨パッド。
【請求項１１】
前記第２の接着剤がＵＶ硬化性接着剤を含む、請求項９に記載の研磨パッド。
【請求項１２】
前記第２の接着剤が、前記第１の接着剤と前記窓の前記第２の区域との間に横方向に配置される、請求項１に記載の研磨パッド。
【請求項１３】
前記窓の前記第２の区域に形成された凹部を備える、請求項１に記載の研磨パッド。
【請求項１４】
前記窓の上面が、前記研磨面と実質的に共平面である、請求項１に記載の研磨パッド。
【請求項１５】
研磨パッド内に窓を形成する方法であって、
研磨物が開口の中に内向きに延びる突起を含むように、ならびに前記開口の第１の区域が前記開口の前記第２の区域と異なる横寸法を有するように、前記研磨物の中に前記開口を形成するステップであって、前記突起が、前記研磨物の研磨面と実質的に平行な第１の面を有し、前記研磨物が、前記研磨面から遠い前記第１の面の側に下方部分を含む、ステップと、
前記開口の中に窓を、前記研磨物の前記第１の面を前記窓の第２の面に接着する第１の接着剤を用いて固定するステップと、
前記窓と前記研磨物の前記下方部分との間の空隙に液体前駆体を投入するステップと、  前記液体前駆体を硬化させて、前記第１の接着剤と異なる組成の第２の接着剤を形成するステップと
を含む方法。
【請求項１６】
前記第１の面が前記突起の上面であり、前記第２の面が前記窓の下面である、請求項１５に記載の方法。
【請求項１７】
前記第１の面が前記突起の下面であり、前記第２の面が前記窓の上面である、請求項１５に記載の方法。
【請求項１８】
前記液体前駆体を硬化させるステップが紫外線（ＵＶ）光を照射するステップを含む、請求項１５に記載の方法。
【請求項１９】
前記窓を固定するステップが、前記第１の面または前記第２の面の少なくとも一方に感圧性接着剤を付けるステップと、前記第１の面を前記第２の面に押し付けるステップとを含む、請求項１８に記載の方法。
【請求項２０】
前記感圧性接着剤を付けるステップが、両面接着テープを付けるステップを含む、請求項１９に記載の方法。
【請求項２１】
前記開口を形成するステップが、前記研磨物を切り抜くステップまたは型成形するステップの少なくとも１つを含む、請求項１５に記載の方法。
【請求項２２】
前記開口を形成するステップが、前記開口の前記第１の区域を研磨層内に形成するステップと、前記開口の前記第２の区域をバッキング層内に形成するステップとを含む、請求項１５に記載の方法。
【請求項２３】
前記液体前駆体を硬化させることにより、前記窓に対する粘着力が前記第１の接着剤よりも大きい前記第２の接着剤を形成する、請求項１５に記載の方法。
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
電子デバイス処理システムであって、
第１移送チャンバを画定する第１ハウジングと、前記第１ハウジングに連結され、基板を動かすように構成された第１ロボットを含む１つ又は複数の処理チャンバとを含む第１メインフレームセクションと、
第２移送チャンバを画定する第２ハウジングと、前記第２ハウジングに連結され、基板を動かすように構成された第２ロボットを含む１つ又は複数の処理チャンバとを含む第２メインフレームセクションと、
前記第２メインフレームセクションとの唯一の入口及び出口を提供する、第１メインフレームセクションと第２メインフレームセクションとの間に連結されたビアパススルー装置と、
前記ビアパススルー装置と反対の前記第１メインフレームセクション側で、前記第１メインフレームセクションの前記第１ハウジングに連結された１つ又は複数のロードロックチャンバと
を備え、前記ビアパススルー装置が、
第１メインフレームセクションと第２メインフレームセクションとの間に連結された、前記第１ロボットと前記第２ロボットによってアクセス可能な第１パススルーチャンバ、並びに
前記第１パススルーチャンバとは異なる階層に位置し、基板上の処理を実行するように適合されたビア処理チャンバ
を含み、前記ビア処理チャンバが、前記ビア処理チャンバ内で基板を持ち上げるリフトアセンブリを備え、前記リフトアセンブリが、フープ状リフトフレームと、前記リフトフレームの下に位置決めされて前記リフトフレームに連結されたリフトアクチュエータと、前記リフトフレームの周囲に連結され、前記基板を支持するように前記リフトフレームの下に延在する複数のフィンガとを含む、電子デバイス処理システム。
【請求項２】
前記処理が、堆積処理、酸化処理、酸化物除去処理、ニトロ化処理、エッチング処理、アニール処理、及び洗浄処理から選択される少なくとも１つを含む、請求項１に記載の電子デバイス処理システム。
【請求項３】
前記処理が軽減処理を含む、請求項１に記載の電子デバイス処理システム。
【請求項４】
前記ビアパススルー装置が第２パススルーチャンバを備え、前記第１パススルーチャンバが前記第２パススルーチャンバと横並び配置で配置されている、請求項１に記載の電子デバイス処理システム。
【請求項５】
前記ビアパススルー装置が前記ビア処理チャンバ内への単一の入口を備える、請求項１に記載の電子デバイス処理システム。
【請求項６】
前記ビアパススルー装置が、
前記第１メインフレームセクションから前記ビア処理チャンバ内への第１入口、及び
前記第２メインフレームセクションから前記ビア処理チャンバ内への第２入口
を備える、請求項１に記載の電子デバイス処理システム。
【請求項７】
格納リングが前記リフトフレーム内に取り付けられている、請求項１に記載の電子デバイス処理システム。
【請求項８】
前記格納リングが、環状の形状を有し、前記リフトフレーム内に形成されたポケットに置かれ、前記ビア処理チャンバの内部容積を囲む、請求項７に記載の電子デバイス処理システム。
【請求項９】
前記ビア処理チャンバが、前記第１メインフレームセクション又は前記第２メインフレームセクションの一方に連結されるように適合された唯一の開口部を備える、請求項１に記載の電子デバイス処理システム。
【請求項１０】
前記ビア処理チャンバと横並び配置で配置された第２ビア処理チャンバを備える、請求項１に記載の電子デバイス処理システム。
【請求項１１】
前記ビア処理チャンバと第２ビア処理チャンバに連結された共通遠隔プラズマ源を備える、請求項１に記載の電子デバイス処理システム。
【請求項１２】
前記ビア処理チャンバに連結された前記共通遠隔プラズマ源と第２ビア処理チャンバを連結する分配チャネルを備える、請求項１１に記載の電子デバイス処理システム。
【手続補正２】
【補正対象書類名】明細書
【補正対象項目名】００４５
【補正方法】変更
【補正の内容】
【００４５】
［０００５３］ここで図４Ｅ及び４Ｆを参照すると、ペデスタル２５３が詳細に示される。ペデスタル２５３は、最上部プレート４６８を含む。最上部プレートは、基板１０２に接触するように適合されるアルミニウム材料であってもよい。ペデスタル２５３は、最上部プレート４６８の下方にあり、且つ支持体４７６内の溝に横たわる抵抗素子を有する内部抵抗性ヒータを含み得る支持体４７６（これもアルミニウムであり得る）を含んでもよい。ヒータは、基板１０２を、約０度（摂氏）と約３００度（摂氏）の間の温度、又はそれを上回る温度などの適切な処理温度に加熱することができる。ヒータへの電力入力ケーブルは、チャネル４７７内で水平に延在してもよく、次いで、共通本体４４２内に形成されるヒータポートを通って垂直下方に延在してもよい。ヒータポートは、最上部プレート４６８の中央からオフセットされる。適切に密封された電気パススルー４８０が、ヒータポートを密封することができる。最上部プレート４６８で示されるのは、表面の下のフィンガ４７１を受容するように構成され、且つ適合される複数のフィンガ凹部４６４（例えば、３つのフィンガ）である。リフトアセンブリ４７２のフィンガ４７１（図４Ａ−図４Ｂ）は、ロボット１１６を用いて基板を交換する間に、基板１０２に接触してそれを持ち上げるように適合される。フィンガ４７１の数は、例えば３つ以上であってもよい。フィンガは、接続フランジ４６９によってライザ部４７０に接続されるリフトフレーム４７３などの接続部分から延在してもよい。フィンガは、基板１０２の下方で水平に延在してもよい。フィンガ４７１は、基板１０２を支持するために適切な半径方向の間隔で離間され、更に基板１０２に対するエンドエフェクタ１４０Ａのアクセスを妨げないように離間されてもよい。
【手続補正３】
【補正対象書類名】図面
【補正対象項目名】図４Ｂ
【補正方法】変更
【補正の内容】
【図４Ｂ】
2016512925.tif 000001
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
レジスタフィールドの現在値により決定されるコンテキスト内で命令を処理するステップであって、前記命令が書込み命令に依存し、前記書込み命令が前記レジスタフィールドに設定値を書き込むためのものであり、前記書込み命令を実行する前に前記命令が処理される、ステップと、
前記命令を待ち行列の中のエントリに記憶するステップと、
前記レジスタフィールドの前記現在値を前記エントリに記憶するステップと、
前記書込み命令を実行した後で、前記エントリを求めて前記待ち行列を検索するステップと、
前記書込み命令を実行した後で、前記エントリに記憶された前記現在値を前記設定値と比較するステップと
を含む、方法。
【請求項２】
前記エントリに記憶された前記現在値が前記設定値と一致しない場合に、すべてのインフライト命令のパイプラインをフラッシュし、かつプログラムカウンタをプログラムの順番で前記書込み命令後の次の命令のアドレスに設定するステップ
をさらに含む、請求項1に記載の方法。
【請求項３】
前記命令を処理するステップが
前記現在値が第1の値である場合、前記命令を定義済みとして処理するステップと、
前記現在値が前記第1の値でない場合、前記命令を未定義として処理するステップと
をさらに含む、請求項2に記載の方法。
【請求項４】
前記エントリに記憶された前記現在値が前記設定値と一致しない場合に、前記命令およびプログラムの順番で前記命令に続くすべてのインフライト命令のパイプラインをフラッシュし、かつプログラムカウンタを前記命令のアドレスに設定するステップ
をさらに含む、請求項1に記載の方法。
【請求項５】
プロセッサの状態情報を前記エントリに記憶するステップであって、前記状態情報が前記命令が処理される時点のものである、ステップと、
前記エントリに記憶される前記現在値が前記設定値と一致しない場合、前記エントリから前記状態情報を取り出して、前記状態情報により示される状態に前記プロセッサを回復するステップと
をさらに含む、請求項4に記載の方法。
【請求項６】
前記命令を処理するステップが
前記現在値が第1の値である場合、前記命令を定義済みとして処理するステップと、
前記現在値が前記第1の値でない場合、前記命令を未定義として処理するステップと
をさらに含む、請求項1に記載の方法。
【請求項７】
前記命令がコミットするとき、前記エントリを前記待ち行列から除去するステップ
をさらに含む、請求項1に記載の方法。
【請求項８】
レジスタフィールドの現在値により決定されるコンテキスト内で命令を処理するための手段であって、前記命令が書込み命令に依存し、前記書込み命令が前記レジスタフィールドに設定値を書き込むためのものであり、前記書込み命令を実行する前に前記命令が処理される、手段と、
前記命令を待ち行列の中のエントリに記憶するための手段と、
前記レジスタフィールドの前記現在値を前記エントリに記憶するための手段と、
前記書込み命令を実行した後で、前記エントリを求めて前記待ち行列を検索するための手段と、
前記書込み命令を実行した後で、前記エントリに記憶された前記現在値を前記設定値と比較するための手段と
を備える、装置。
【請求項９】
プロセッサの状態情報を前記エントリに記憶するための手段であって、前記状態情報が前記命令が処理される時点のものである、手段と、
前記エントリに記憶される前記現在値が前記設定値と一致しない場合、前記エントリから前記状態情報を取り出すための手段と、前記状態情報により示される状態に前記プロセッサを回復するための手段と
をさらに備える、請求項8に記載の装置。
【請求項１０】
前記命令を処理するための手段が、
前記現在値が第1の値である場合、前記命令を定義済みとして処理するための手段と、
前記現在値が前記第1の値でない場合、前記命令を未定義として処理するための手段とをさらに備える、請求項8に記載の装置。
【請求項１１】
前記命令がコミットするとき、前記エントリを前記待ち行列から除去するための手段
をさらに備える、請求項8に記載の装置。
【請求項１２】
プロセッサを備え、前記プロセッサは、
フィールドを有するレジスタと、
待ち行列と、
パイプラインと
をさらに備え、
前記命令を処理するための手段、前記命令を待ち行列の中のエントリに記憶するための手段、前記レジスタフィールドの前記現在値を前記エントリに記憶するための手段、前記書込み命令を実行した後で、前記エントリを求めて前記待ち行列を検索するための手段、および前記書込み命令を実行した後で、前記エントリに記憶された前記現在値を前記設定値と比較するための手段が、コントローラを備える、請求項8に記載の装置。
【請求項１３】
プログラムカウンタをさらに備える、請求項12に記載の装置。
【請求項１４】
コントローラによって実行されたとき、前記コントローラに請求項1〜7のいずれか一項に記載の方法を実施させる命令を記憶した、非一時的コンピュータ可読記録媒体。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
光ファイバーを収容する外被付き光ファイバーケーブルを終端処理する光コネクタであって、前記外被付きケーブルは、外被を含み、前記光コネクタは、
レセプタクルと嵌合するように構成されたハウジングと、
前記ハウジング内に配置された鍔体であって、前記鍔体が、第１の端部において、フェルールを固定し、前記鍔体が、前記鍔体の第２の部分に配置された把持機構を含み、前記鍔体が、前記鍔体の第３の部分内に構成されたバッファークランプを更に含み、前記バッファークランプが、作動時に、前記光ファイバーのバッファークラッディングの少なくとも一部分をクランプするように構成される、鍔体と、
前記ハウジング内に前記鍔体を保持するバックボーンであって、前記バックボーンが、前記バックボーンの一端において、中心ボアを取り囲む実装構造体を含み、前記実装構造体は、前記ケーブル外被の切り裂かれた部分を受容するように構成された少なくとも１つのポケット領域を有する、バックボーンと、を含む、光コネクタ。
【請求項２】
前記実装構造体に係合し、かつ前記ケーブル外被の前記切り裂かれた部分を、前記バックボーンの前記実装構造体に固定するように構成された、ファイバーブーツを更に含む、請求項１に記載の光コネクタ。
【請求項３】
前記ブーツが、前記実装構造体上に形成された外側ねじ山と係合するように構成された螺刻部分を有するナット部分を含む、請求項２に記載の光コネクタ。
【請求項４】
前記ファイバーブーツが、前記ファイバーケーブルの横方向の動きを制限するテイル部を更に含む、請求項３に記載の光コネクタ。
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
呼吸マスクであって、前記呼吸マスクは、
前記マスクと着用者の口及び鼻との間に清浄空気封入部を画定するように構成されるマスク本体と、
音声増強装置と、を備え、前記音声増強装置は、
前記マスク本体への取り付けのために構成されるマイクロホンであって、前記マイクロホンは、前記マスク本体に取り付けられると前記清浄空気封入部内の音響エネルギーを検出するように更に構成される、マイクロホンと、
前記清浄空気封入部の外部で音響エネルギーを生成するように構成されるスピーカと、
前記スピーカ及び前記マイクロホンに動作可能に接続されるコントローラと、を含み、前記コントローラは、
前記マイクロホンから音声信号を受信する工程であって、前記音声信号は、第１の周波数範囲内の前記マイクロホンによって検出された音響エネルギーを指示する、受信する工程と、
前記スピーカへ出力信号を送出する工程であって、前記出力信号は、前記スピーカに、補償音響エネルギーを放出させるように構成され、前記補償音響エネルギーは、前記第１の周波数範囲の全てに満たない部分をカバーする１つ以上の所定の減衰周波数範囲内で放出され、前記補償音響エネルギーは、前記１つ以上の所定の減衰周波数範囲の各所定の減衰周波数範囲にわたって所定の減衰振幅分布を含む、送出する工程と、を実行するように構成される、呼吸マスク。
【請求項２】
呼吸マスクへの取り付けのために構成される音声増強装置であって、前記音声増強装置は、
前記呼吸マスクの清浄空気封入部内の音響エネルギーを検出するように構成されるマイクロホンと、
内部で前記マイクロホンが、音響エネルギーを検出するように構成される前記清浄空気封入部の外部で音響エネルギーを生成するように構成されるスピーカと、
前記マイクロホン及び前記スピーカに動作可能に接続されるコントローラと、を含み、前記コントローラは、
前記マイクロホンから音声信号を受信する工程であって、前記音声信号は、第１の周波数範囲内の前記マイクロホンによって検出された音響エネルギーを指示する、受信する工程と、
前記スピーカへ出力信号を送出する工程であって、前記出力信号は、前記スピーカに、補償音響エネルギーを放出させるように構成され、前記補償音響エネルギーは、前記第１の周波数範囲の全てに満たない部分をカバーする１つ以上の所定の減衰周波数範囲内で放出され、前記補償音響エネルギーは、前記１つ以上の所定の減衰周波数範囲の各所定の減衰周波数範囲にわたって所定の減衰振幅分布を含む、送出する工程と、を実行するように構成される、音声増強装置。
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
止血剤を有する吸収性ファブリック層を含む、使用者によって着用されるように適合された止血手袋。
【請求項２】
吸収性ファブリックが織布、不織布、またはそれらの組み合わせである、請求項１に記載の止血手袋。
【請求項３】
止血剤が、吸収性ファブリック層内に含浸されている、請求項１に記載の止血手袋。
【請求項４】
吸収性ファブリック層が止血剤でコーティングされている、請求項１に記載の止血手袋。
【請求項５】
吸収性ファブリック層が治療剤をさらに含む、請求項１に記載の止血手袋。
【請求項６】
治療剤が、創傷治癒剤、抗菌剤、抗微生物剤、成長因子、鎮痛剤、および麻酔薬からなる群から選択される、請求項５に記載の止血手袋。
【請求項７】
止血剤が、手袋の一つ以上の指部の表面または内部に配置される、請求項１に記載の止血手袋。
【請求項８】
内部エラストマー層をさらに含む、請求項１に記載の止血手袋。
【請求項９】
内部エラストマー層が、プラスチック、ラテックス、ゴム、ニトリル、ネオプレン、ビニル、またはそれらの組み合わせを含む、請求項８に記載の止血手袋。
【請求項１０】
吸収性ファブリック層が内部エラストマー層に取り外し可能に固定されている、請求項８に記載の止血手袋。
【請求項１１】
吸収性ファブリック層が、接着剤、ベルクロ、熱接着、縫い合わせ、またはそれらの組み合わせによって、内部エラストマー層に固定されている、請求項１０に記載の止血手袋。
【請求項１２】
請求項１に記載の止血手袋および該手袋を使用して患者の創傷の止血を促進するための説明書を含むキット。
【請求項１３】
手袋が、内部エラストマー層をさらに含む、請求項１２に記載のキット。
【手続補正２】
【補正対象書類名】明細書
【補正対象項目名】００２６
【補正方法】変更
【補正の内容】
【００２６】
別の態様では、本開示はキットを提供する。キットは、本開示の止血手袋および該手袋を使用して患者の創傷の止血を促進するための説明書を含む。
[本発明1001]
止血剤を有する吸収性ファブリック層を含む、使用者によって着用されるように適合された止血手袋。
[本発明1002]
吸収性ファブリックが織布、不織布、またはそれらの組み合わせである、本発明1001の止血手袋。
[本発明1003]
止血剤が、吸収性ファブリック層内に含浸されている、本発明1001の止血手袋。
[本発明1004]
吸収性ファブリック層が止血剤でコーティングされている、本発明1001の止血手袋。
[本発明1005]
吸収性ファブリック層が治療剤をさらに含む、本発明1001の止血手袋。
[本発明1006]
治療剤が、創傷治癒剤、抗菌剤、抗微生物剤、成長因子、鎮痛剤、および麻酔薬からなる群から選択される、本発明1005の止血手袋。
[本発明1007]
止血剤が、手袋の一つ以上の指部の表面または内部に配置される、本発明1001の止血手袋。
[本発明1008]
内部エラストマー層をさらに含む、本発明1001の止血手袋。
[本発明1009]
内部エラストマー層が、プラスチック、ラテックス、ゴム、ニトリル、ネオプレン、ビニル、またはそれらの組み合わせを含む、本発明1008の止血手袋。
[本発明1010]
吸収性ファブリック層が内部エラストマー層に取り外し可能に固定されている、本発明1008の止血手袋。
[本発明1011]
吸収性ファブリック層が、接着剤、ベルクロ、熱接着、縫い合わせ、またはそれらの組み合わせによって、内部エラストマー層に固定されている、本発明1010の止血手袋。
[本発明1012]
患者の創傷の止血を促進するための方法であって、
（ａ）使用者によって着用されるように適合された止血手袋で創傷に接触する段階であって、止血手袋が、止血剤を有する吸収性ファブリック層および内部エラストマー層を含む、段階、ならびに
（ｂ）創傷からの流体の流出を制限するために、創傷上にまたはその内部に人力による圧力を加える段階であって、それにより、創傷の止血を促進する、段階
を含む、方法。
[本発明1013]
内部エラストマー層から吸収性ファブリック層を分離する段階、および該吸収性ファブリック層で創傷を被覆する段階をさらに含む、本発明1012の方法。
[本発明1014]
創傷に創傷用クランプ装置を適用する段階をさらに含む、本発明1012の方法。
[本発明1015]
止血剤が、吸収性ファブリック層内に含浸されている、本発明1012の方法。
[本発明1016]
吸収性ファブリック層が止血剤でコーティングされている、本発明1012の方法。
[本発明1017]
吸収性ファブリック層が治療剤をさらに含む、本発明1012の方法。
[本発明1018]
治療剤が、創傷治癒剤、抗菌剤、抗微生物剤、成長因子、鎮痛剤、および麻酔薬からなる群から選択される、本発明1017の方法。
[本発明1019]
止血剤が、手袋の一つ以上の指部の表面または内部に配置される、本発明1012の方法。
[本発明1020]
内部エラストマー層が、プラスチック、ラテックス、ゴム、ニトリル、ネオプレン、ビニル、またはそれらの組み合わせを含む、本発明1012の方法。
[本発明1021]
吸収性ファブリック層が、接着剤、ベルクロ、熱接着、縫い合わせ、またはそれらの組み合わせによって、内部エラストマー層に取り外し可能に固定されている、本発明1012の方法。
[本発明1022]
本発明1001の止血手袋および該手袋を使用して患者の創傷の止血を促進するための説明書を含むキット。
[本発明1023]
手袋が、内部エラストマー層をさらに含む、本発明1022のキット。
【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
個人保護装置用のストラップ保持用装置であって、
フレームと、
該フレームに枢動可能に接続された保持タブと、
該フレームに接続され、かつ該保持タブに向かって可動な第１の作動要素を含む第１の作動アームと、を含み、
該第１の作動要素は、第１の平面において、中立位置から作動位置まで可動であり、該作動位置において、該第１の作動要素により該保持タブが該第１の平面に対して実質的に垂直である第２の平面において動かされる、ストラップ保持用装置。
【請求項２】
レスピレータ用のハーネス組立体であって、
第１のストラップ保持用装置及び第２のストラップ保持用装置であって、それぞれは、フレームと、該フレームに枢動可能に接続された保持タブと、ストラップチャネルと、該フレームに接続され、かつ第１の作動斜面を含む第１の作動アームと、を含み、該第１の作動斜面は、第１の平面において、中立位置から作動位置に可動であり、該作動位置において、該第１の作動斜面が該保持タブの表面に接触し、かつ、該第１の作動斜面により該保持タブが、該第１の平面に対して垂直である第２の平面において動かされる、第１のストラップ保持用装置及び第２のストラップ保持用装置と、
該第１のストラップ保持具のストラップチャネル内において、該第１のストラップ保持具の該フレームの一部の周りに位置付けられた第１のストラップと、
該第２のストラップ保持具のストラップチャネル内において、該第２のストラップ保持用装置の該フレームの一部の周りに位置付けられた第２のストラップと、を含み、
該第１のストラップ保持用装置は、第１の取り付け要素を含み、該第２のストラップ保持用装置は、第２の取り付け要素を含み、該第１の取り付け要素は、該第２の取り付け要素に取り付け可能である、ハーネス組立体。